(57)【要約】【課題】予めイモビライザ対応と非対応の仕様を共通に設計、開発、管理でき、車両の構造をよく知る悪意を持った者であってもイモビライザ対応仕様からイモビライザ非対応仕様に不正に変更することが困難とする。【解決手段】エンジン始動制御装置１は、外部の複数の発信源の全てがイモビライザに対して非対応の要求の場合にのみイモビライザの機能に対し非対応の仕様と設定する。外部の複数の発信源は、直接的或いは間接的に情報を出力するものであっても良く、更に、各発信源内に入力される他の発信源からの情報に対してイモビライザに対する対応と非対応の判定ができる。また、外部の複数の発信源が出力する情報は暗号化して出力され、更に、外部の複数の発信源は、上流側に他の発信源を備え、該上流側の他の発信源からの情報の入力がない場合は、イモビライザの機能に対し対応要求があると判定する。【選択図】  図１
2004345472.tif 000002
【特許請求の範囲】
【請求項１】
外部の複数の発信源からの情報に基づき、イモビライザの機能に対し対応可能と非対応のどちらの仕様にも変更自在なエンジン始動制御装置において、
上記外部の複数の発信源の全てが上記イモビライザに対して非対応の要求の場合にのみ上記イモビライザの機能に対し非対応の仕様と設定することを特徴とするエンジン始動制御装置。
【請求項２】
上記外部の複数の発信源は、直接的に情報を出力するものと、間接的に情報を出力するものの少なくともどちらかであることを特徴とする請求項１記載のエンジン始動制御装置。
【請求項３】
上記外部の複数の発信源は、それぞれの発信源内に入力される他の発信源からの情報に対して上記イモビライザに対する対応と非対応の判定手段を有することを特徴とする請求項１又は請求項２記載のエンジン始動制御装置。
【請求項４】
上記外部の複数の発信源が出力する情報は、それぞれ暗号化して出力することを特徴とする請求項１乃至請求項３の何れか一つに記載のエンジン始動制御装置。
【請求項５】
上記外部の複数の発信源は、上流側に他の発信源を備え、該上流側の他の発信源から情報が入力されるものである場合、上記上流側の他の発信源からの情報の入力がない場合は、上記イモビライザの機能に対し対応要求があると判定することを特徴とする請求項１乃至請求項４の何れか一つに記載のエンジン始動制御装置。
【発明の詳細な説明】
【０００１】
【発明の属する技術分野】
本発明は、外部の複数の発信源からの情報に基づき、イモビライザの機能に対し対応可能と非対応のどちらの仕様にも変更自在なエンジン始動制御装置に関する。
【０００２】
【従来の技術】
近年、車両の盗難防止を図るべくイモビライザ（電子式移動ロック装置）を備えた車両が多く普及されはじめている。このようなイモビライザとしては、例えば、特開平７−２４２１５８号公報において、イグニッションキーをＯＦＦにすることにより作動し、この作動時においては、エンジン始動回路と、燃料ポンプ制御回路とイグニッション回路との何れの回路の通電をも断つものが開示されている。
【０００３】
【特許文献１】
特開平７−２４２１５８号公報
【０００４】
【発明が解決しようとする課題】
ところで、エンジン始動制御装置の設計、開発、管理にかかる負担、すなわち、イモビライザ対応と非対応の２種類のものを用意し、在庫する等の負担を軽減するため、１種類のエンジン始動制御装置で、後から外部からの情報に基づき、イモビライザ有／無仕様のどちらにも対応可能なエンジン始動制御装置が開発されている。このようなエンジン始動制御装置では、通常、外部からのイモビライザ対応／非対応の情報の発信源は１つであり、車両がイモビライザ対応車に設定されていても、車両の構造をよく知る悪意を持った者により、その発信源をイモビライザ非対応仕様に変更された場合、イモビライザ非対応車に変更され、簡単にエンジンを始動することができるようになってしまうという問題がある。
【０００５】
本発明は上記事情に鑑みてなされたもので、予めイモビライザ対応と非対応の仕様を共通に設計、開発、管理でき、且つ、車両の構造をよく知る悪意を持った者であってもイモビライザ対応仕様からイモビライザ非対応仕様に不正に変更することが困難なエンジン始動制御装置を提供することを目的とする。
【０００６】
【課題を解決するための手段】
上記目的を達成するため請求項１記載の本発明によるエンジン始動制御装置は、外部の複数の発信源からの情報に基づき、イモビライザの機能に対し対応可能と非対応のどちらの仕様にも変更自在なエンジン始動制御装置において、上記外部の複数の発信源の全てが上記イモビライザに対して非対応の要求の場合にのみ上記イモビライザの機能に対し非対応の仕様と設定することを特徴としている。
【０００７】
また、請求項２記載の本発明によるエンジン始動制御装置は、請求項１記載のエンジン始動制御装置において、上記外部の複数の発信源は、直接的に情報を出力するものと、間接的に情報を出力するものの少なくともどちらかであることを特徴としている。
【０００８】
更に、請求項３記載の本発明によるエンジン始動制御装置は、請求項１又は請求項２記載のエンジン始動制御装置において、上記外部の複数の発信源は、それぞれの発信源内に入力される他の発信源からの情報に対して上記イモビライザに対する対応と非対応の判定手段を有することを特徴としている。
【０００９】
また、請求項４記載の本発明によるエンジン始動制御装置は、請求項１乃至請求項３の何れか一つに記載のエンジン始動制御装置において、上記外部の複数の発信源が出力する情報は、それぞれ暗号化して出力することを特徴としている。
【００１０】
更に、請求項５記載の本発明によるエンジン始動制御装置は、請求項１乃至請求項４の何れか一つに記載のエンジン始動制御装置において、上記外部の複数の発信源は、上流側に他の発信源を備え、該上流側の他の発信源から情報が入力されるものである場合、上記上流側の他の発信源からの情報の入力がない場合は、上記イモビライザの機能に対し対応要求があると判定することを特徴としている。
【００１１】
すなわち、請求項１記載のエンジン始動制御装置は、外部の複数の発信源の全てがイモビライザに対して非対応の要求の場合にのみイモビライザの機能に対し非対応の仕様と設定する。
【００１２】
この際、外部の複数の発信源は、請求項２記載のように、直接的に情報を出力するものと、間接的に情報を出力するものの少なくともどちらかである。
【００１３】
また、外部の複数の発信源は、請求項３記載のように、それぞれの発信源内に入力される他の発信源からの情報に対してイモビライザに対する対応と非対応の判定手段を有する。
【００１４】
更に、外部の複数の発信源が出力する情報は、好ましくは、請求項４記載のように、それぞれ暗号化して出力する。
【００１５】
また、外部の複数の発信源は、上流側に他の発信源を備え、該上流側の他の発信源から情報が入力されるものである場合、請求項５記載のように、上流側の他の発信源からの情報の入力がない場合は、イモビライザの機能に対し対応要求があると判定する。
【００１６】
【発明の実施の形態】
以下、図面に基づいて本発明の実施の形態を説明する。
図１〜図３は本発明の実施の一形態を示し、図１は複数の発信源を有するエンジン始動制御装置のシステム構成図、図２は発信源とエンジン始動制御装置の機能ブロック図、図３は各発信源で実行される処理を示すフローチャートである。
【００１７】
図１において、符号１はエンジン始動制御装置であり、このエンジン始動制御装置１は、外部の複数の発信源からの情報に基づき、イモビライザの機能に対し対応可能と非対応のどちらの仕様にも変更自在で、例えばエンジン制御装置（図示せず）の一部として設けられている。
【００１８】
エンジン始動制御装置１には、外部の複数の発信源として、発信源１１、〜、発信源ｎｍが接続されており、これらの発信源のうち、発信源１１、〜、発信源１ｎは、エンジン始動制御装置１に直接的に接続され、発信源２１、〜、発信源ｍｎは、他の発信源を介してエンジン始動制御装置１に間接的に接続されている。
【００１９】
上述の各発信源の例としては、例えば、コンビネーションメータ、統合ユニット等の各システムのコントロールユニットに適用される。ここでは、その代表例を、図２で具体的に説明する。
【００２０】
すなわち、図２に示すように、イグニッションキー２のキーベッドには、ＩＣチップのトランスポンダ３が埋め込み内蔵されており、暗号照合用の情報が記憶されている。
【００２１】
上述のイグニッションキーから送信される情報は、キーシリンダに設けられたリングアンテナ４により受信されるようになっており、このリングアンテナ４により受信された情報は発信源Ｂ内にて処理される。
【００２２】
発信源Ｂは、暗号照合用の情報とイモビライザ対応／非対応の元情報が記憶された情報記憶部２１と、情報記憶部２１からの情報と発信源Ｂより上流側の直前の発信源Ａからの情報を比較して、暗号照合とイモビライザ対応／非対応の判定を行う暗号照合・判定部２２と、暗号照合・判定部２２からの照合・判定結果を暗号化処理して出力する暗号化処理出力部２３を主に有して構成されている。すなわち、発信源Ｂは、それ自身でイモビライザに対する対応と非対応の判定手段を有して構成されている。
【００２３】
なお、発信源Ａにも発信源Ｂと同様に暗号照合用の情報とイモビライザ対応／非対応の元情報が記憶された情報記憶部１１と、この情報記憶部１１の情報を必要に応じて送信出力する暗号出力部１２が設けられている。
【００２４】
そして、エンジン始動制御装置１は、発信源Ｂからの情報、すなわち、暗号照合用の情報と、イモビライザ対応／非対応の情報が入力され、暗号照合用の情報とイモビライザ対応／非対応の元情報が記憶された情報記憶部３１と、情報記憶部３１からの情報と発信源Ｂからの情報を比較して、暗号照合とイモビライザ対応／非対応の判定を行う暗号照合・判定部３２を主要に有して構成されている。
【００２５】
次に、上記構成の発信源Ｂで行われる処理を、図３のフローチャートで説明する。尚、図３のフローチャートでは、発信源Ｂを発信源ＸＹと一般的に標記し、発信源Ａを上流の発信源、エンジン始動装置１を下流の発信源、もしくは、エンジン始動制御装置１と表している。
【００２６】
まず、ステップ（以下、「Ｓ」と略称）１０１で、上流の発信源から暗号情報と、イモビライザの対応／非対応情報が受信入力され、Ｓ１０２に進んで、暗号照合用の情報を基に暗号照合解読が行われる。なお、最上流の発信源においては、キースイッチがオフ状態からオン状態になった際、もしくはイグニッションスイッチがオフ状態からオン状態になった際に下流への情報発信が行われる。
【００２７】
Ｓ１０２の判定の結果、暗号照合解読が不可能の場合はＳ１０４に進み、暗号情報とイモビライザに対する対応要求の情報を暗号化し、下流の発信源、もしくは、エンジン始動制御装置１に出力する。逆に暗号照合解読が可能な場合はＳ１０３に進む。
【００２８】
Ｓ１０３では、入力情報、すなわち、上流の発信源からのイモビライザの対応／非対応情報と内部情報（イモビライザ対応／非対応の元情報）との比較を行い、入力情報と内部情報のどちらにもイモビライザ対応の情報が無い場合は、Ｓ１０４に進み、暗号情報とイモビライザに対する非対応要求の情報を暗号化し、下流の発信源、もしくは、エンジン始動制御装置１に出力する。
【００２９】
逆に、Ｓ１０３の判定の結果、入力情報と内部情報のどちらか一方でもイモビライザ対応の情報が有る場合、或いは、入力情報と内部情報のどちらかに一方でもイモビライザ対応／非対応の情報が欠落している場合は、Ｓ１０４に進み、暗号情報とイモビライザに対する対応要求の情報を暗号化し、下流の発信源、もしくは、エンジン始動制御装置１に出力する。
【００３０】
尚、本発明は、上述のイグニッションキーのシステムのみならず、左右のドアキー、トランクルームキー等の各システムにおいても、略同様に構成される。
【００３１】
このように本発明の実施の形態によれば、外部の複数の発信源の全てがイモビライザに対して非対応の要求の場合にのみイモビライザの機能に対し非対応の仕様と設定するので、予めイモビライザ対応と非対応の仕様を共通としたとしても、一旦、イモビライザ対応と設定してしまえば、車両の構造をよく知る悪意を持った者であっても、イモビライザ対応仕様からイモビライザ非対応仕様に不正に変更することが困難となっている。
【００３２】
また、外部の複数の発信源は、直接的に情報を出力するものであっても、間接的に情報を出力するものであっても適用でき、汎用性に優れている。
【００３３】
更に、外部の複数の発信源は、それぞれの発信源内に入力される他の発信源からの情報に対してイモビライザに対する対応と非対応の判定ができるので、エンジン始動制御装置１での判定が多くなることが無く、直接的にエンジン始動制御装置１に接続される発信源に対する判定のみに抑制することができる。
【００３４】
また、外部の複数の発信源が出力する情報は、それぞれ暗号化して出力するので、大きなセキュリティー効果を有している。
【００３５】
更に、外部の複数の発信源は、上流側に他の発信源を備え、該上流側の他の発信源から情報が入力されるものである場合、上流側の他の発信源からの情報の入力がない場合は、イモビライザの機能に対し対応要求があると判定するので、上流側の他の発信源が破壊されるような場合であっても適切に防犯機能を発揮することができる。
【００３６】
【発明の効果】
以上、説明したように本発明によれば、予めイモビライザ対応と非対応の仕様を共通に設計、開発、管理でき、且つ、車両の構造をよく知る悪意を持った者であってもイモビライザ対応仕様からイモビライザ非対応仕様に不正に変更することが困難となるという優れた効果を奏する。
【図面の簡単な説明】
【図１】複数の発信源を有するエンジン始動制御装置のシステム構成図
【図２】発信源とエンジン始動制御装置の機能ブロック図
【図３】各発信源で実行される処理を示すフローチャート
【符号の説明】
１    エンジン始動制御装置
１１    情報記憶部
１２    暗号出力部
２１    情報記憶部
２２    暗号照合・判定部
２３    暗号化処理出力部
３１    情報記憶部
３２    暗号照合・判定部
【図１】
2004345472.tif 000003
【図２】
2004345472.tif 000004
【図３】
2004345472.tif 000005